(57)【要約】【課題】梁の下側空間を有効に活用できるようにしながら、柱構造の簡素化を図り易くする。【解決手段】鉄筋コンクリート構造の柱Ｃと、ウエブ３とフランジ４とを備えた鉄骨構造の梁Ｂとを、ウエブを上下方向に沿わせて、そのウエブの長手方向端部を柱に埋め込んで接合してある柱梁接合構造であって、ウエブの長手方向端部は、その下端側にのみ備えたフランジと共に柱に埋め込んである。【選択図】図１
2009102878.tif 000002
【特許請求の範囲】
【請求項１】
鉄筋コンクリート構造の柱と、ウエブとフランジとを備えた鉄骨構造の梁とを、前記ウエブを上下方向に沿わせて、そのウエブの長手方向端部を前記柱に埋め込んで接合してあ柱梁接合構造であって、
前記ウエブの長手方向端部は、その下端側にのみ備えたフランジと共に前記柱に埋め込んである柱梁接合構造。
【請求項２】
前記フランジの前記柱への埋め込み部分に軸部材を挿通して、その軸部材を前記柱に埋め込んである請求項１記載の柱梁接合構造。
【発明の詳細な説明】
【技術分野】
【０００１】
本発明は、鉄筋コンクリート構造の柱と、ウエブとフランジとを備えた鉄骨構造の梁とを、前記ウエブを上下方向に沿わせて、そのウエブの長手方向端部を前記柱に埋め込んで接合してある柱梁接合構造に関する。
【背景技術】
【０００２】
上記柱梁接合構造では、従来、ウエブの長手方向端部に左右両側に突出する多数のピンを設けて、そのウエブの長手方向端部を多数のピンと共に柱に埋め込むことにより、柱に柱頭モーメントが生じ難いピン接合で柱と梁とを接合して、柱構造の簡素化を図っている（例えば、特許文献１参照）。
【０００３】
【特許文献１】特開平１１−１５９００１号公報
【発明の開示】
【発明が解決しようとする課題】
【０００４】
しかしながら、上記従来の柱梁接合構造では、ウエブの長手方向端部を多数のピンと共に柱に埋め込んで接合してあるので、柱に埋め込んである多数のピンが、梁と柱との上下方向に沿う相対的な回転変位を規制している。
このため、ピン接合で接合してあるとはいうものの、実質的には剛接合に近い接合構造になっており、柱に柱頭モーメントが発生し易いとともに、梁からの荷重がピンを介して柱に集中的に作用するおそれもあるので、柱構造の簡素化を図り難い欠点がある。
この欠点を解決するために、図２に例示するように、柱Ｃの側面に受け部１２を一体に突設して、その受け部１２に梁Ｂの端部を載置支持する構造が考えられるが、この場合は、梁Ｂからの荷重を受けた受け部１２によって柱Ｃに柱頭モーメントが生じるとともに、梁Ｂからの荷重が受け部１２と柱Ｃとの接合部に剪断力として作用するので、柱構造の簡素化を図り難い問題がある。
その上、柱Ｃから突出している受け部１２が邪魔になって、梁Ｂの下側空間を有効に活用し難い問題がある。
更に、図３に例示するように、柱Ｃにアンカーボルト１３を埋設しておくとともに、梁Ｂの端部にリブ１４を固定しておいて、アンカーボルト１３をリブ１４に締め付け固定することにより、梁Ｂの端部を柱Ｃで支持する構造が考えられるが、この場合は、梁Ｂからの荷重がアンカーボルト１３に対して剪断力として作用するので、剪断強度の高いアンカーボルト１３や多数のアンカーボルト１３を埋設しておく必要があるとともに、梁Ｂからの荷重がアンカーボルト１３から柱Ｃに集中的に作用するおそれがあるので、やはり、柱構造の簡素化を図り難い問題がある。
本発明は上記実情に鑑みてなされたものであって、梁の下側空間を有効に活用できるようにしながら、柱構造の簡素化を図り易くすることを目的とする。
【課題を解決するための手段】
【０００５】
本発明の第１特徴構成は、鉄筋コンクリート構造の柱と、ウエブとフランジとを備えた鉄骨構造の梁とを、前記ウエブを上下方向に沿わせて、そのウエブの長手方向端部を前記柱に埋め込んで接合してある柱梁接合構造であって、前記ウエブの長手方向端部は、その下端側にのみ備えたフランジと共に前記柱に埋め込んである点にある。
【０００６】
〔作用及び効果〕
ウエブの長手方向端部は、その下端側にのみ備えたフランジと共に柱に埋め込んであるので、柱に柱頭モーメントが発生し難くなるように、梁と柱との上下方向に沿う相対的な回転変位を許容しながら、梁からの荷重を、柱の特定部分に集中させずに、フランジの柱への埋め込み部分で、柱に対して圧縮力として分散作用させることができる。
従って、梁の受け部を柱の側面に突設したり、アンカーボルトを埋設したりすることなく、柱に柱頭モーメントが発生し難くなるように柱と梁とを接合することができるとともに、梁からの荷重が柱に集中的に作用するおそれも少なく、梁の下側空間を有効に活用できるようにしながら、柱構造の簡素化を図り易い。
また、柱と梁とを接合するための施工時に、ウエブ下端側のフランジを柱側に載置して、梁を安定した姿勢で保持し易く、作業能率を向上させ易い。
【０００７】
本発明の第２特徴構成は、前記フランジの前記柱への埋め込み部分に軸部材を挿通して、その軸部材を前記柱に埋め込んである点にある。
【０００８】
〔作用及び効果〕
フランジの柱への埋め込み部分に軸部材を挿通して、その軸部材を柱に埋め込んであるので、梁と柱との上下方向に沿う相対的な回転変位を許容しながら、地震発生時などにおいて水平方向の外力が作用したときは、梁と柱との水平方向への相対変位を規制することができる。
【発明を実施するための最良の形態】
【０００９】
以下に本発明の実施の形態を図面に基づいて説明する。尚、図面において従来例と同一の符号で表示した部分は、同一又は相当の部分を示している。
【００１０】
〔第１実施形態〕
図１は、建物における本発明による柱梁接合構造を示し、鉄筋コンクリート構造の床スラブＡからの荷重を梁Ｂで受け止めて柱Ｃに伝達できるように、多数の柱主筋１やフープ筋２を配筋してある四角柱状の鉄筋コンクリート構造の柱Ｃと、ウエブ３とフランジ４とを備えた鉄骨構造の梁Ｂとを、ウエブ３を上下方向に沿わせて、そのウエブ３の長手方向端部を柱Ｃに埋め込んで接合してあり、Ｌ字状に屈曲させたスラブ上端補強筋５を床スラブＡと柱Ｃとに亘って配筋してある。
【００１１】
前記梁Ｂは、ウエブ３の幅方向両側縁の夫々にフランジ４（４ａ，４ｂ）をＴ字状に一体に備えた横断面形状がＨ形の鋼材で構成してあり、梁Ｂの少なくとも柱Ｃへの埋め込み部分７が下フランジ４ｂのみを備えた形状になるように、上フランジ４ａのうちの、柱Ｃに埋設されるウエブ部分６の上側縁に沿う上フランジ部分をその全長よりもフランジ厚さ分程度越える範囲に亘って切り取っておいて、ウエブ３の長手方向端部をその下端側にのみ備えた下フランジ４ｂと共に柱Ｃに埋め込んである。
【００１２】
そして、下フランジ４ｂの柱Ｃへの埋め込み部分７に貫通孔８を形成し、その貫通孔８に挿通した鋼製軸部材９を柱Ｃに埋め込んである。
また、柱主筋１が下フランジ４ｂと干渉しないように、下フランジ４ｂに大径の主筋孔１０を貫通形成して、柱主筋１をその主筋孔１０に挿通してあり、フープ筋２がウエブ３と干渉しないように、ウエブ３に大径のフープ筋孔１１を貫通形成して、フープ筋２をそのフープ筋孔１１に挿通してある。
【００１３】
〔その他の実施形態〕
１．本発明による柱梁接合構造は、Ｈ形鋼や山形鋼，溝形鋼，Ｉ形鋼などの圧延形鋼からなる梁を接合してあっても良い。
２．本発明による柱梁接合構造は、ウエブとフランジとを溶接で一体化してある組立形鋼からなる梁を接合してあっても良い。
３．本発明による柱梁接合構造は、フランジの柱への埋め込み部分に複数の軸部材を挿通して、それらの軸部材を柱に埋め込んであっても良い。
【図面の簡単な説明】
【００１４】
【図１】一部断面側面図
【図２】比較例を示す側面図
【図３】比較例を示す側面図
【符号の説明】
【００１５】
３  ウエブ
４  フランジ
７  埋め込み部分
９  軸部材
Ｂ  梁
Ｃ  柱
【図１】
2009102878.tif 000003
【図２】
2009102878.tif 000004
【図３】
2009102878.tif 000005